(57)【要約】【課題】  反射した噴射水の外部への流出を抑制することができ、噴流の剥離による落下を防止でき、一旦回収した回収水の外部への飛び出しを防止でき、これにより噴射水の回収率を大幅に高めることができる排水性舗装の機能回復装置を提供する。【解決手段】  排水性舗装の表面１に対して斜めに洗浄水２を噴射する噴射ノズル１２と、舗装表面で反射した洗浄水を回収する洗浄水回収装置１４とを備える。洗浄水回収装置１４は、噴射ノズルの上方に位置し回収した洗浄水を内部に貯める回収樋１５と、洗浄水が衝突する舗装表面から回収樋まで舗装表面で反射した洗浄水をその運動エネルギーで導く回収ダクト１６を有する。回収ダクト１６は、舗装表面に対向して開口する下端部１６ａと、回収樋内に開口する上端部１６ｃと、中間部１６ｂとを有し、下端部と上端部の間を連通し、その間に反射した洗浄水を少ない損失で通過させる流路を形成する。【選択図】    図２
2005042454.tif 000002
【特許請求の範囲】
【請求項１】
排水性舗装の表面に対して斜めに洗浄水を噴射する噴射ノズルと、舗装表面で反射した洗浄水を回収する洗浄水回収装置とを備え、
該洗浄水回収装置は、噴射ノズルの上方に位置し回収した洗浄水を内部に貯める回収樋と、洗浄水が衝突する舗装表面から回収樋まで舗装表面で反射した洗浄水をその運動エネルギーで導く回収ダクトを有し、
該回収ダクトは、洗浄水が衝突する舗装表面に対向して開口する下端部と、回収樋内に開口する上端部と、下端部と上端部の間を連通しその間に反射した洗浄水を少ない損失で通過させる流路を形成する中間部とを有する、ことを特徴とする排水性舗装の機能回復装置。
【請求項２】
前記回収ダクトは、噴射ノズルから噴射した洗浄水の上流側下端に舗装表面からわずかな間隔を隔てた空気流入口を有する、ことを特徴とする請求項１に記載の排水性舗装の機能回復装置。
【請求項３】
前記回収ダクトは、舗装表面で反射した洗浄水をその運動エネルギーで回収樋内に導くように曲率変化が少なく形成された駆上り板と、該駆上り板に沿って流路を形成するように駆上り板から間隔を隔てて位置する空気流ガイドと、噴射した洗浄水が衝突する舗装表面に対向して開口しその上部を噴射ノズルから空気流ガイドまで囲む遮蔽カバーとを有する、ことを特徴とする請求項１に記載の排水性舗装の機能回復装置。
【請求項４】
前記駆上り板と空気流ガイドの間隔は、ほぼ一定又は下流側が漸増する、ことを特徴とする請求項３に記載の排水性舗装の機能回復装置。
【請求項５】
前記回収樋は、内部で前後に揺動する洗浄水をその内側に反転して戻す反転返し部材をその縁部に有する、ことを特徴とする請求項１に記載の排水性舗装の機能回復装置。
【発明の詳細な説明】
【技術分野】
【０００１】
本発明は、排水性舗装の機能回復装置に関する。
【背景技術】
【０００２】
排水性舗装とは、走行面に排水可能な空隙を有する舗装をいう。かかる排水性舗装は、降雨時に雨水を空隙を通して排水することにより、走行車両のハイドロプレーニング現象を防止するとともに、車両走行時のタイヤの騒音を低減する機能も併せもっている。
【０００３】
しかし、かかる排水性舗装は長期間の使用により走行面の空隙に土砂や粉塵等が詰まり、排水性能、騒音低減性能等が低下する。そこで、排水性舗装の機能を回復する手段が種々、提案されている。
【０００４】
従来、提案されている機能回復手段は、ブラシ、超音波振動、高圧水等を用いた物理的手段と、界面活性剤等を用いた化学的手段とに大別される。このうち、最も効果的な手段は、高圧水を用いた手段であると考えられている（例えば、特許文献１〜４）。
【０００５】
特許文献１の「舗装の目詰まり物の除去装置」は、図８に示すように、外箱５３の前及後側壁５５ａ，５５ｂの下部にトラックの幅方向に沿ってそれぞれ前側及び後側の走行ロール５７，５９を配置して各走行ロール５７，５９のロール面を前側及び後側の壁５５ａ，５５ｂの内面に接近させることにより、外箱５３の前後側壁５５ａ，５５ｂ下部と舗装表面との間をシールするものである。
【０００６】
特許文献２の「舗装の目詰まり物の除去装置」は、図９に示すように、排水性舗装６１の表面に向けて配置された第１噴射ノズル６３ａと、その噴射方向の延長線と舗装表面より下方で交差するように舗装表面に向けて配置された第２噴射ノズル６３ｂとを有し、圧力水６４を噴射する噴射手段と、舗装表面に浮き上がった空隙詰まり物を水と共に吸引する吸引手段６５とを備え、同時に振動体６９により圧力水６４に振動を付与するものである。
【０００７】
特許文献３の「舗装の目詰まり物の除去装置」は、図１０に示すように、指向方向の延長線が舗装表面の下方で交差するように進行方向に互いに離間配置され、表面に向けて噴射した圧力水の噴射圧により舗装の空隙に詰まった目詰まり物を表面に浮き上がらせる噴射ノズル７７ａ，７７ｂと、ノズル７７ａ側で目詰まり物を水と共に回収する吸引ダクト７８と、ノズル７７ｂ側で目詰まり物を水と共に回収する吸引ダクト７９と、ダクト７８とダクト７９との間の表面ｈを臨む位置に配置された吸引ダクト７０と、ダクト７０の周囲をシールしてダクト７０の吸引口７０ａを略密閉空間Ｔ３内に配置するシール手段とを備え、シール手段は、ダクト７０の前壁部側に配置されて該壁部に軸方向全長にわたって当接する弾性体を外周に有する走行ロール７１ａを備えるものである。
【０００８】
言い換えれば、上述した特許文献１〜３の装置では、密閉状態に近づけた洗浄空間をブロア、真空発生装置等の吸引手段で減圧して、舗装表面に浮き上がった空隙詰まり物を水と共に吸引して洗浄水を回収するものである。
【０００９】
一方、特許文献４の「排水性舗装の機能回復装置」は、図１１に示すように、移動可能なフレームに、排水性舗装８１の表面に対して斜めに洗浄水８４を噴射する噴射ノズル８２と、洗浄水が舗装表面で反射して飛び上がる位置に設けられた、路面を反射して飛び上がった洗浄水を捕捉するための槽を有する洗浄水回収装置８８とを備え、洗浄水回収装置８８は、舗装表面で反射した洗浄水をその運動エネルギーで内部に導くように傾斜した傾斜案内板８５と、回収した洗浄水を内部に貯める回収樋８６と、傾斜案内板から回収樋まで洗浄水をその運動エネルギーで導く導入板８７とからなるものである。
【００１０】
【特許文献１】特開平９−５９９５１号公報
【特許文献２】特開平９−１００５１９号公報
【特許文献３】特開２０００−３５２０２４号公報
【特許文献４】特開２００２−３４８８２５号公報
【発明の開示】
【発明が解決しようとする課題】
【００１１】
特許文献１〜３の装置には、以下の問題点があった。
（１）吸引のため大がかりな吸引装置（ブロア、真空発生装置等）が必要であり、装置の製造コストが高い。また、吸引装置の運転動力が大きく、そのためランニングコストも高い。
（２）吸引装置の性能を維持するために、洗浄空間を密閉状態に近づける必要があり、そのシールのため低速（例えば１ｋｍ／ｈ以下）で運転しなければならない。また、たとえ密閉状態が良好であっても、空隙詰まり物を含んだ水を吸引するには、ある程度の吸引時間が必要であるため、低速運転により単位面積あたりの吸引時間を確保しなければならない。その結果、この装置で排水性舗装の機能回復を実施する際には、車道の交通規制が不可欠となる。
また、交通規制を回避するために、例えば６ｋｍ／ｈ以上の速度で装置を移動させると、洗浄空間の気密性能が低下し、単位面積あたりの吸引時間も短くなるので、十分な機能回復を行うことができなくなる。
【００１２】
一方、特許文献４の装置は、これらの問題点を解決することができ、交通規制が不要な速度で、排水性舗装を洗浄することができ、かつその洗浄水を低コストかつ低いランニングコストで回収することができる、等の優れた特徴を有する。
【００１３】
しかし、特許文献４の装置を実際に試作試験した結果、上述の優れた特徴は得られるものの、噴射水の外部への流出が多く、結果としてその回収率が低いという問題点が明らかとなった。すなわち、この装置では、内部を密閉しないため、噴射水が反射して外部に流出したり、噴流が傾斜案内板や導入板の途中で板から剥離したり、回収樋に一旦回収した場合でも、噴流のもつ勢いで外部に飛び出すことがあり、その分、回収率が低下するという問題点があった。
【００１４】
本発明は、上述した問題点を解決するために創案されたものである。すなわち本発明の目的は、反射した噴射水の外部への流出を抑制することができ、噴流の剥離による落下を防止でき、一旦回収した回収水の外部への飛び出しを防止でき、これにより噴射水の回収率を大幅に高めることができ、かつ交通規制が不要な速度で、排水性舗装を洗浄することができ、その洗浄水を低コストかつ低いランニングコストで回収することができる排水性舗装の機能回復装置を提供することにある。
【課題を解決するための手段】
【００１５】
本発明によれば、排水性舗装の表面に対して斜めに洗浄水を噴射する噴射ノズルと、舗装表面で反射した洗浄水を回収する洗浄水回収装置とを備え、
該洗浄水回収装置は、噴射ノズルの上方に位置し回収した洗浄水を内部に貯める回収樋と、洗浄水が衝突する舗装表面から回収樋まで舗装表面で反射した洗浄水をその運動エネルギーで導く回収ダクトを有し、
該回収ダクトは、洗浄水が衝突する舗装表面に対向して開口する下端部と、回収樋内に開口する上端部と、下端部と上端部の間を連通しその間に反射した洗浄水を少ない損失で通過させる流路を形成する中間部とを有する、ことを特徴とする排水性舗装の機能回復装置が提供される。
【００１６】
本発明の好ましい実施形態によれば、前記回収ダクトは、噴射ノズルから噴射した洗浄水の上流側下端に舗装表面からわずかな間隔を隔てた空気流入口を有する。
【００１７】
前記回収ダクトは、舗装表面で反射した洗浄水をその運動エネルギーで回収樋内に導くように曲率変化が少なく形成された駆上り板と、該駆上り板に沿って流路を形成するように駆上り板から間隔を隔てて位置する空気流ガイドと、噴射した洗浄水が衝突する舗装表面に対向して開口しその上部を噴射ノズルから空気流ガイドまで囲む遮蔽カバーとを有する。
【００１８】
前記駆上り板と空気流ガイドの間隔は、ほぼ一定又は下流側が漸増することが好ましい。
また、前記回収樋は、内部で前後に揺動する洗浄水をその内側に反転して戻す反転返し部材をその縁部に有する。
【発明の効果】
【００１９】
上記本発明の構成によれば、回収ダクトの中間部が、洗浄水が衝突する舗装表面に対向して開口する下端部と回収樋内に開口する上端部とを連通し、その間に反射した洗浄水を少ない損失で通過させる流路を形成するので、この回収ダクトを通過する水流により、水流に誘導された空気流れが発生し、回収ダクトの下端部にベルヌーイの定理に基づく負圧が形成される。
従って、回収ダクトの下端部で予定以外の方向に噴射水が反射した場合でも、流入する空気流により反射水の外部への流出を抑制し、再び水流に同伴して回収することができる。また、回収ダクトの中間部に沿った噴流の流れができるので噴流の剥離がほとんど起こらない。従って、噴射水の回収率を大幅に高めることができる。
【００２０】
また、舗装表面で反射した洗浄水をその運動エネルギーで回収樋まで導くので、洗浄水を吸引装置を用いることなく洗浄水の運動エネルギーのみで、低コストかつ低いランニングコストで回収することができる。さらに、洗浄水をその運動エネルギーを利用して回収するので、洗浄空間の減圧が不要となり、交通規制が不要な速度（例えば、６ｋｍ／ｈ以上）で装置を移動させても、回収効率の低下を防止することができる。
【００２１】
また回収ダクトが、噴射ノズルから噴射した洗浄水の上流側下端に舗装表面からわずかな間隔を隔てた空気流入口を有する構成により、回収ダクトの下端部に形成される負圧を維持することができ、かつこの空気流入口から流入する空気を水流に同伴させて、安定した空気流れを形成することができる。
【００２２】
駆上り板が、舗装表面で反射した洗浄水をその運動エネルギーで回収樋内に導くように曲率変化が少なく形成されている構成により、洗浄水を吸引装置を用いることなく洗浄水の運動エネルギーのみで、低コストかつ低いランニングコストで回収することができる。
また、空気流ガイドが、駆上り板に沿って流路を形成するように駆上り板から間隔を隔てて位置する構成により、駆上り板との間に反射した洗浄水を少ない損失で通過させる流路を形成することができ、この流路を通過する水流により、水流に誘導された空気流れを発生させることができる。
更に、遮蔽カバーが、噴射した洗浄水が衝突する舗装表面に対向して開口しその上部を噴射ノズルから空気流ガイドまで囲む構成により、この遮蔽カバーの内側（回収ダクトの下端部）にベルヌーイの定理に基づく負圧を形成することができる。
【００２３】
駆上り板と空気流ガイドの間に形成される流路面積が、ほぼ一定又は下流側が漸増する構成により、主に空気の流れる流速をほぼ一定または漸減させることができ、運動エネルギーの損失を最小限に抑えることができる。
【００２４】
回収樋が、内部で前後に揺動する洗浄水をその内側に反転して戻す反転返し部材をその縁部に有する構成により、回収樋に一旦回収した洗浄水が、噴流の勢いで外部に飛び出そうとしても、或いは装置の加減速により内部で前後に揺動しても、縁部の反転返し部材で洗浄水をその内側に反転して戻すことができる。
【発明を実施するための最良の形態】
【００２５】
以下、本発明の好ましい実施形態を図面を参照して説明する。なお、各図において、共通する部分には同一の符号を付し重複した説明を省略する。
【００２６】
図１は、本発明の排水性舗装の機能回復装置の全体構成図である。この図に示すように、本発明の排水性舗装の機能回復装置１０は、排水性舗装の表面１に対して斜めに洗浄水２を噴射する噴射ノズル１２と、舗装表面１で反射した洗浄水２を回収する洗浄水回収装置１４とを備える。
【００２７】
噴射ノズル１２は、吐出ポンプ（図示せず）で加圧して供給された洗浄水２を、排水性舗装１の表面に対して斜めに噴射する。洗浄水回収装置１４は、洗浄水２が舗装表面で反射して飛び上がる位置に設けられている。
【００２８】
なおこの例では、２台の機能回復装置１０が前後に反対方向に配置されているが、本発明はこの構成に限定されず、３台以上の機能回復装置１０を同一方向又は前後反対方向に設けてもよい。なおこの図で５は車輪であり、走行台車６に搭載された機能回復装置１０を前後方向に走行させながら、噴射ノズル１２から排水性舗装の表面１に対して斜めに洗浄水２を噴射し、舗装表面１で反射した洗浄水２を空隙から除去された空隙詰まり物（土砂や粉塵等）と共に洗浄水回収装置１４で回収するようになっている。
【００２９】
図２は、本発明の洗浄水回収装置の第１実施形態図である。この図において、洗浄水回収装置１４は、回収樋１５と回収ダクト１６からなる。回収樋１５は、噴射ノズル１２の上方に位置し、回収した空隙詰まり物と洗浄水２を内部に貯める機能を有する。回収樋１５は幅方向（図で紙面に直交する方向）に水平に延びた容器であり、回収樋１５に溜まった空隙詰まり物と洗浄水２は、図示しない回収ポンプにより、濾過装置又は別の水タンクに排出するようになっている。
【００３０】
回収ダクト１６は、洗浄水２が衝突する舗装表面１から回収樋１５まで舗装表面で反射した洗浄水２をその運動エネルギーで導く機能を有する。
この例において、回収ダクト１６は、下端部１６ａ、上端部１６ｃ、及び中間部１６ｂを有する。下端部１６ａは、洗浄水２が衝突する舗装表面１に対向して下方が開口している。また上端部１６ｃは、回収樋１５内の上部に開口している。中間部１６ｂは、下端部１６ａと上端部１６ｃの間を気密に連通し、下端部１６ａと上端部１６ｃの間に反射した洗浄水２を少ない損失で通過させる流路を形成する。
なお、回収ダクト１６は、幅方向（図で紙面に直交する方向）に同一の断面形状を有し、その幅端部は図示しない側板により気密に閉じている。
【００３１】
また、回収ダクト１６は、下端部１６ａの上流側に空気流入口１７を有する。この空気流入口１７は、噴射ノズル１２から噴射した洗浄水２の上流側下端に舗装表面からわずかな間隔（好ましくは約２０ｍｍ以下）を隔てており、回収ダクト１６の下端部に形成される負圧を維持するようになっている。なお、下端部１６ａのその他の三方端（前と左右）は、走行台車６の移動に支障がない限りで、舗装表面にできるだけ近接するのがよく、摩耗等に耐えられる限りでは接触してもよい。
【００３２】
図２において、回収ダクト１６は、駆上り板１８、空気流ガイド１９、及び遮蔽カバー２０からなる。駆上り板１８は、舗装表面１で反射した洗浄水２をその運動エネルギーで回収樋内に導くように曲率変化が少ない円弧で形成された円弧状の平板である。空気流ガイド１９は、駆上り板１８に沿って流路を形成するように駆上り板から間隔を隔てて位置する円弧状の平板である。駆上り板１８と空気流ガイド１９の幅端部は図示しない側板により気密に閉じている。
遮蔽カバー２０は、噴射した洗浄水２が衝突する舗装表面１に対向して開口し、その上部を噴射ノズル１２から空気流ガイド１９の下端まで水密に囲んでいる。この遮蔽カバー２０の両端部も図示しない側板により気密に閉じており、遮蔽カバー２０の上流側に上述した空気流入口１７を有する。
【００３３】
図２の例において、駆上り板１８と空気流ガイド１９の間隔は、その間を流れる流速をほぼ一定に保持し、運動エネルギーの損失を抑えるように、ほぼ一定（例えば約４０ｍｍ）に設定されている。
【００３４】
また、回収樋１５は、内部で前後に揺動する洗浄水２をその内側に反転して戻す反転返し部材１５ａを前後の縁部に有し、回収樋１５に一旦回収した洗浄水が、噴流の勢いで外部に飛び出そうとしても、或いは装置の加減速により内部で前後に揺動しても、縁部の反転返し部材１５ａで洗浄水２をその内側に反転して戻すようになっている。
【００３５】
上述した本発明の構成によれば、回収ダクト１６の中間部１６ｂが、洗浄水２が衝突する舗装表面１に対向して開口する下端部１６ａと回収樋１５内に開口する上端部１６ｃとを気密に連通し、その間に反射した洗浄水２を少ない損失で通過させる流路を形成するので、この回収ダクト１６を通過する水流により、水流に誘導された空気流れが発生し、回収ダクト１６の下端部１６ａにベルヌーイの定理に基づく負圧が形成される。
従って、回収ダクト１６の下端部で予定以外の方向に噴射水が反射した場合でも、流入する空気流３により反射水２の外部への流出を抑制し、再び水流に同伴して回収することができる。また、回収ダクト１６の中間部１６ｂに沿った噴流の流れができるので噴流の剥離がほとんど起こらず、噴射水の回収率を大幅に高めることができる。
【００３６】
また、舗装表面１で反射した洗浄水２をその運動エネルギーで回収樋まで導くので、洗浄水を吸引装置を用いることなく洗浄水の運動エネルギーのみで、低コストかつ低いランニングコストで回収することができる。さらに、洗浄水をその運動エネルギーを利用して回収するので、洗浄空間の減圧が不要となり、交通規制が不要な速度（例えば、６ｋｍ／ｈ以上）で装置を移動させても、回収効率の低下を防止することができる。
【００３７】
また、駆上り板１８が、舗装表面で反射した洗浄水をその運動エネルギーで回収樋１５内に導くように曲率変化が少なく形成されているので、洗浄水を吸引装置を用いることなく洗浄水の運動エネルギーのみで、低コストかつ低いランニングコストで回収することができる。
また、空気流ガイド１９が、駆上り板に沿って流路を形成するように駆上り板１８からほぼ一定の間隔を隔てて位置するので、駆上り板１８との間に反射した洗浄水２を少ない損失で通過させる流路を形成することができ、この流路を通過する水流により、水流に誘導された空気流れを発生させることができる。
更に、遮蔽カバー２０が、噴射した洗浄水２が衝突する舗装表面１に対向して開口しその上部を噴射ノズル１２から空気流ガイド１９まで水密に囲むので、この遮蔽カバー２０の内側（回収ダクトの下端部）にベルヌーイの定理に基づく負圧を形成することができる。
【００３８】
図３は、本発明の洗浄水回収装置の第２実施形態図である。この例において、駆上り板１８と空気流ガイド１９の間隔は、下流側が漸増するように構成されており、主に空気の流れる流速を漸減させて、運動エネルギーの損失を抑えるようになっている。その他の構成は、図２と同様である。
【００３９】
図４は、先行出願に基づく排水性舗装の機能回復装置の模式図である。この例では、上述した本発明の空気流ガイド１９及び遮蔽カバー２０がなく、その代わりに、飛散防止カバー７を備えている。また、回収樋１５’は、ほぼ円形断面に形成されていた。
この構成の装置では、噴射水が反射して下端の隙間から外部に流出したり（Ａ）、噴流が傾斜案内板や導入板の途中で板から剥離して落下したり（Ｂ）、回収樋に一旦回収した場合でも、噴流のもつ勢いで外部に飛び出したり（Ｃ）、回収樋の入口部で内部に入らずに落下したり（Ｄ）する現象が確認された。その結果、回収率が低かった。
【００４０】
以下、本発明の実施例を図２〜図４の装置で比較して説明する。なお、以下、図２の例を本発明１（一定通路）、図３の例を本発明２（漸増通路）、図４の例を先行例と呼ぶ。
【００４１】
図５は、本発明の洗浄水回収装置の特性図である。この図において、横軸は、先行例、本発明１、本発明２の順であり、縦軸は洗浄水の回収率である。また、２本の棒グラフは、回収位置（舗装面から回収樋上端までの高さ）を変化させた場合であり、左側は７４０ｍｍ、右側は６００ｍｍである。
先行例では、図４にＡ〜Ｄで示したように、外部への流出が多く、回収率が低かった。これに対して、本発明１、本発明２のいずれの場合も、約９５％以上まで回収率を高めることができた。
これは、上述したように、回収ダクト１６を通過する水流により、水流に誘導された空気流れが発生し、回収ダクト１６の下端部１６ａにベルヌーイの定理に基づく負圧が形成されるためと考えられる。
【００４２】
図６は、本発明の洗浄水回収装置の別の特性図である。この図において、横軸は上流側に空気流入口１７を設けた場合（スリット）、上流側を全閉した場合（フルクローズ）、及び上流側を開放した場合（フルオープン）である。スリットは１０ｍｍで試験した。
スリットは、本発明１に相当し、フルオープンは、本発明１から遮蔽カバー２０を除去した場合である。また、フルクローズは、実際にはあり得ないが、比較のため実施した。
この結果から、１０ｍｍのスリットを設けた場合が、最も回収率が高く（ほぼ１００％）、フルクローズよりも回収率を高めることができることがわかる。
【００４３】
図７は、本発明の洗浄水回収装置の別の特性図である。この図において、「返し有り」は本発明１において縁部に反転返し部材１５ａを取り付けた場合、「返し無し」はこれを除去した場合である。
この結果から、縁部に反転返し部材１５ａを設けることにより、回収率を更に高めることができることがわかる。
【００４４】
上述したように、本発明は、駆上り板１８に空気流ガイド１９を付加することにより、水流に誘導された空気流れを規制し、回収水が駆上り板を駆け上がる助けとしたものである。
また、駆上り板１８と空気流ガイド１９を好ましくは平行に一定距離を保ち（例えば約４０ｍｍ）、噴射ノズル部も遮蔽カバー２０で覆い、更に、舗装面との隙間を小さくする（２０ｍｍ程度）ことで、水流に誘導されて発生した空気流れを、回収を補助する方向に規制している。
更に、駆上り板の終端部と回収槽に折返しを付けて、回収槽から跳ね返った回収水のこぼれを防いでいる。
【００４５】
従って、本発明の排水性舗装の機能回復装置は、反射した噴射水の外部への流出を抑制することができ、噴流の剥離による落下を防止でき、一旦回収した回収水の外部への飛び出しを防止でき、これにより噴射水の回収率を大幅に高めることができ、かつ交通規制が不要な速度で、排水性舗装を洗浄することができ、その洗浄水を低コストかつ低いランニングコストで回収することができる等の優れた効果を有する。
【００４６】
なお、本発明は上述した実施形態に限定されず、本発明の要旨を逸脱しない範囲で種々変更できることは勿論である。
【図面の簡単な説明】
【００４７】
【図１】本発明の排水性舗装の機能回復装置の全体構成図である。
【図２】本発明の洗浄水回収装置の第１実施形態図である。
【図３】本発明の洗浄水回収装置の第２実施形態図である。
【図４】先行出願に基づく排水性舗装の機能回復装置の模式図である。
【図５】本発明の洗浄水回収装置の特性図である。
【図６】本発明の洗浄水回収装置の別の特性図である。
【図７】本発明の洗浄水回収装置の別の特性図である。
【図８】特許文献１の「舗装の目詰まり物の除去装置」の模式図である。
【図９】特許文献２の「舗装の目詰まり物の除去装置」の模式図である。
【図１０】特許文献３の「舗装の目詰まり物の除去装置」の模式図である。
【図１１】特許文献４の「排水性舗装の機能回復装置」の模式図である。
【符号の説明】
【００４８】
１  舗装表面、２  洗浄水、３  空気流、５  車輪、６  走行台車、
１０  機能回復装置、１２  噴射ノズル、１４  洗浄水回収装置、
１５  回収樋、１５ａ  反転返し部材、
１６  回収ダクト、１６ａ  下端部、１６ｂ  中間部、１６ｃ  上端部、
１７  空気流入口、１８  駆上り板、
１９  空気流ガイド、２０  遮蔽カバー
【図１】
2005042454.tif 000003
【図２】
2005042454.tif 000004
【図３】
2005042454.tif 000005
【図４】
2005042454.tif 000006
【図５】
2005042454.tif 000007
【図６】
2005042454.tif 000008
【図７】
2005042454.tif 000009
【図８】
2005042454.tif 000010
【図９】
2005042454.tif 000011
【図１０】
2005042454.tif 000012
【図１１】
2005042454.tif 000013